(57)【要約】【課題】油密式電力機器の容器と油量調整装置とを接続する油導管のバルブが不要となり、油量調整装置を低コスト、かつ容易に取り付けることができ、容器内に充填されている絶縁油の上層にあるプラスチックの析出物が油量調整装置に侵入することを防ぐことができる油密式電力機器を提供する。【解決手段】油量調整装置の油導管と油密式電力機器とを着脱可能なコネクタハウジングとコネクタで接続する。容器内に充填されている絶縁油の上層にあるプラスチックの析出物の浮遊層よりも下方に、油導管に接続されるコネクタの流入口を配置する。【選択図】図１
2012204416.tif 000002
【特許請求の範囲】
【請求項１】
油密式電力機器の絶縁油の膨張および収縮を吸収する油量調整装置において、前記油量調整装置の油導管と前記油密式電力機器とを着脱可能なコネクタハウジングとコネクタで接続したことを特徴とする油密式電力機器。
【請求項２】
前記油密式電力機器の蓋板に前記コネクタが取付けられ、かつ前記コネクタが前記油密式電力機器の内部に突き出されていることを特徴とする請求項１に記載の油密式電力機器。
【発明の詳細な説明】
【技術分野】
【０００１】
本発明は、油密式電力機器などに用いられる油量調整装置に関するものである。
【背景技術】
【０００２】
油密式電力機器は、電力用コンデンサ・リアクトル・変圧器などの電力用機器本体を容器内に収納し、絶縁油を充填して、その容器を密閉することが行われている。外気温や電力用機器本体が発生する熱などに対応して絶縁油が膨張・収縮するので、この膨張・収縮による容器内の圧力変動を緩和するために、油密式電力機器には油量調整装置が備えられている。
【０００３】
図４を用いて従来の油密式電力機器１について説明する。油密式電力機器１は密閉可能な容器２の内部に電力用機器本体（図示せず）が収納されている。そして、容器２に絶縁油３が充填され、蓋板４が取り付けられている。容器２と蓋板４の接続部にはパッキン（図示せず）が設けられるか、または容器２と蓋板４とが油密溶接されることで、絶縁油３が漏れない密閉構造になっている。
【０００４】
油密式電力機器１の上部には油量調整装置５が配置されている。この油量調整装置５については、特許文献１で詳細な説明がされており、油量調整装置５は以下のように構成されている。金属性の薄板円板の同心円に蛇腹加工が複数施されており、この薄板円板が２枚合わされ、その周縁が溶接されてベローズ槽が形成されている。そして、このベローズ槽が複数個並べられ油導管で連結されている。
【０００５】
油量調整装置５の油導管６は蓋板４の上面に接続されており、容器２内に充填された絶縁油３が油導管６内部を通り油量調整装置５内のベローズ槽に自由に往来できるように構成されている。さらに、油導管６にはバルブ７が２ヶ所設けられている。このように構成することで、外気温や電力用機器本体が発生する熱等による絶縁油３の膨張・収縮をベローズ槽で吸収することができる。（特許文献２）
【先行技術文献】
【特許文献】
【０００６】
【特許文献１】特開２００９−７０９３７号公報
【特許文献２】実開昭５３−１６６０１５号公報
【発明の概要】
【発明が解決しようとする課題】
【０００７】
油導管に設けられているバルブは高価であり、しかもバルブの取付けに工数を要するので油密式電力機器全体のコストが上がってしまうといった問題があった。
【０００８】
また、電力用機器本体にプラスチックが用いられている場合、機器の運転中に発生する熱のためにプラスチックが少量絶縁油に溶出するという現象が起こる。周囲の温度の低下に伴い絶縁油の温度が低下すると、絶縁油中に溶出したプラスチックが析出物となる。プラスチックの析出物は絶縁油よりも比重が小さいので容器内の上部に浮遊する。周囲の温度が上昇しても一旦析出物化してしまったプラスチックは、再度絶縁油に溶解するまでには至らない。そのため、このプラスチックの析出物が油導管に侵入して、油導管を詰まらせてしまい、油量調整装置が本来の役目を果たさなくなるといった問題もあった。
【課題を解決するための手段】
【０００９】
本発明は、油密式電力機器の絶縁油の膨張および収縮を吸収する油量調整装置において、前記油量調整装置の油導管と油密式電力機器とを着脱可能なコネクタハウジングとコネクタで接続したことを特徴としている。
【００１０】
また、本発明は、前記油密式電力機器の蓋板に前記コネクタが取付けられ、かつ前記コネクタが前記油密式電力機器の内部に突き出されていることを特徴としている。
【発明の効果】
【００１１】
以上のように、本発明では、高価なバルブを必要とせず、組立が容易で、かつ低コストの油密式電力機器を提供することができる。また、プラスチックの析出物が油量調整装置の内部に侵入することを防止でき、信頼性の高い油密式電力機器を提供することができる。
【図面の簡単な説明】
【００１２】
【図１】図１は本発明の実施形態に係る油密式電力機器の正面図である。
【図２】図２は本発明の他の実施形態に係る油密式電力機器の正面図である。
【図３】図３は本発明の他の実施形態にかかる油密式電力機器のコネクタおよび油導管の拡大図である。
【図４】図４は従来の油密式電力機器の正面図である。
【発明を実施するための形態】
【００１３】
以下、本発明の実施の形態について、図面に基づいて説明する。
〔実施の形態１〕
本実施の形態１について図１を用いて説明する。油密式電力機器１は密閉可能な容器２の内部に電力用機器本体（図示せず）が収納されている。容器２には絶縁油３が充填され、蓋板４が取り付けられている。容器２と蓋板４の接続部にはパッキン（図示せず）が設けられるか、または容器２と蓋板４とが油密溶接されることで、絶縁油３が漏れない密閉構造になっている。容器内の絶縁油３の上層には析出物８が浮遊している。
【００１４】
油密式電力機器１の上部には油量調整装置５が配置されている。蓋板４の上面には、コネクタ１０の一方が容器内の下方に突き出されるように取り付けられている。このとき、容器内の下方に突き出される部分の長さは析出物８の厚みよりも長くなるように設定されている。コネクタハウジング９とコネクタ１０を用いて容器と油導管とが接続されており、コネクタハウジング９とコネクタ１０との着脱が可能となっている。このように構成することで、油量調整装置５内に析出物が侵入することを防ぎつつ、容易に低コストで油量調整装置５を油密式電力機器１に配置することができる。
【００１５】
〔実施の形態２〕
本実施の形態２について図２を用い、実施の形態１と異なる点についてのみ説明する。容器２の側面に油導管６が取り付けられている。この油導管６の取り付け位置を析出物８の浮遊層よりも下方にすることによって、析出物８が油量調整装置５内に侵入することを防ぐことができる。
【００１６】
油密式電力機器１の上部に配置された油量調整装置５の油導管６は、着脱可能なコネクタハウジング９とコネクタ１０を用いて容器と接続されている。このように構成することで、容易に低コストで油量調整装置５を油密式電力機器１に配置することができる。
【００１７】
次に、コネクタおよび油導管の他の実施例について、図３を用いて説明する。図３の（ａ）（ｂ）（ｃ）は、コネクタが蓋板に取り付けられている状態を示し、（ｄ）（ｅ）（ｆ）は油導管が容器の側面に取り付けられている状態を示している。
【００１８】
図３の（ａ）はコネクタが容器内部で側方に曲げられ絶縁油の流入口が側方に向けられた状態を示している。（ｂ）はコネクタが容器内部で上方に曲げられ絶縁油の流入口が上方に向けられた状態を示している。（ｃ）はコネクタが容器内部で側方に曲げられ、かつ絶縁油の流入口が上方に向くように斜めに切断された状態を示している。
【００１９】
図３の（ｄ）は油導管が容器の内部に突き出された状態を示している。（ｅ）油導管の絶縁油の流入口が上方に向くように斜めに切断された状態を示している。（ｆ）は油導管が容器内部で上方に曲げられ絶縁油の流入口が上方に向けられた状態を示している。
【００２０】
上記のように、コネクタおよび油導管の絶縁油の流入口を側方または上方に向けることで、析出物が絶縁油中を上昇してくる際にもコネクタおよび油導管に侵入することを防ぐことができる。なお、コネクタおよび油導管の絶縁油の流入口の向きは側方または上方に限定されるものではなく、任意の角度であってもよい。
【符号の説明】
【００２１】
１    油密式電力機器
２    容器
３    絶縁油
４    蓋板
５    油量調整装置
６    油導管
７    バルブ
８    析出物
９    コネクタハウジング
１０  コネクタ
【図１】
2012204416.tif 000003
【図２】
2012204416.tif 000004
【図３】
2012204416.tif 000005
【図４】
2012204416.tif 000006